(57)【要約】【課題】フェンス本体を損傷させることなく、フェンス本体の梱包解除操作を円滑に、かつ確実に行える、汚濁防止フェンス装置を提供すること。【解決手段】カーテンを折り畳んだ状態でのフェンス本体の梱包とフェンス本体の梱包解除を行う結束機構３０とを有する汚濁防止フェンス装置であって、結束機構３０はフェンス本体を結束する結束帯４０と、複数の結束帯４０に跨って配設可能な全長を有する操作索５０とを具備し、結束帯４０はバンド材４１と、バンド材の両端を連結または切り離しが可能な機械式の開閉留め具６０とを具備していて、操作索５０を牽引して開閉留め金具６０に一定以上の引張力が作用すると、開閉留め金具６０が口開きしてバンド材４１の両端が切り離される。【選択図】図３
2019199778.tif 000002
【特許請求の範囲】
【請求項１】
フロートに沿ってカーテンを垂下したフェンス本体と、カーテンを折り畳んだ状態でのフェンス本体の梱包と、フェンス本体の梱包解除を行う結束機構とを有する汚濁防止フェンス装置であって、
前記結束機構はフェンス本体に沿って間隔を隔てて外装する複数の結束帯と、
前記複数の結束帯に跨って配設可能な全長を有する操作索とを具備し、
前記結束帯は折り畳まれたフェンス本体を包囲可能な長さを有するバンド材と、
前記バンド材の両端を連結または切り離しが可能な機械式の開閉留め具とを具備し、
前記操作索の長手方向に沿って複数の開閉留め具が取り付けられ、
前記操作索を牽引して開閉留め金具に作用する引張力が開閉留め金具の口開き抵抗を越えると、開閉留め金具が口開きしてバンド材の両端が切り離されることを特徴とする、
汚濁防止フェンス装置。
【請求項２】
前記開閉留め具はスライドピンを具備した留め具本体と、留め具本体に支軸を介して枢支した鍵爪とを具備した留め具であり、操作牽に連結されたスライドピンに操作牽を通じて作用する引張力が口開き抵抗を越えると鍵爪が支軸を中心に回動して口開きすることを特徴とする、請求項１に記載の汚濁防止フェンス装置。
【請求項３】
複数の開閉留め具が分岐索を介して操作索に取り付けられていることを特徴とする、請求項１または２に記載の汚濁防止フェンス装置。
【請求項４】
前記分岐索の長さが不均一であることを特徴とする、請求項３に記載の汚濁防止フェンス装置。
【請求項５】
バンド材をフェンス本体の一部に脱落不能に付設したことを特徴とする、請求項１または２に記載の汚濁防止フェンス装置。
【発明の詳細な説明】
【技術分野】
【０００１】
本発明は、湖沼、農業用ダム、河川、港湾、海岸等の水域における汚濁物質の拡散を防止する汚濁防止フェンス装置に関し、特に折り畳まれたフェンス本体の梱包を解く操作を陸上からの遠隔操作により行えるようにした汚濁防止フェンス装置に関する。
【背景技術】
【０００２】
柱状のフロートと、フロートに一体に垂下した帯状のカーテンとからなる汚濁防止フェンスは広く知られている（特許文献１）。
汚濁防止フェンスの出荷形態は、小さく折り畳んだカーテン部分とフロートの複数箇所に梱包紐を巻き付けて梱包している。
汚濁防止フェンスを現地水域に展張する際には、梱包を解かずにフェンスを進展した後に、水上で梱包紐を解いて折り畳んだ重錘付きのカーテンを水中に沈降している。
上記した汚濁防止フェンスの展張作業と梱包紐の除去作業は、専ら小型の船舶を用いて行なわれるが、フェンスの設置現場が船舶の導入が困難な山岳地の場合は、これらの作業を潜水士が行っている。
【０００３】
特許文献２には、汚濁防止フェンスの一連の展張作業を陸上側から遠隔操作して行う汚濁防止フェンス装置が開示されている。
この汚濁防止フェンス装置は、フロートにカーテンを垂下した公知のフェンス本体と、折り畳んだカーテンと共にフェンス本体を結束可能な結束機構とを具備している。
結束機構は折り畳んだカーテンと共にフェンス本体に外装して梱包する複数の結束帯と、遠隔操作により結束帯の梱包を解除する長尺の操作索とを具備している。
結束帯はその両端にリング状の接続要素が設けられていて、重合させた接続要素の貫通孔内に操作索を挿通させて連結することで結束帯のループ形状を保持し、操作索を陸側から牽引して抜き取ることで複数の結束帯の両端を切り離して梱包を解くことができる構造となっている。
【先行技術文献】
【特許文献】
【０００４】
【特許文献１】特開平４−６４６１４号公報
【特許文献２】特開２０１６−１０４９３７号公報
【発明の概要】
【発明が解決しようとする課題】
【０００５】
特許文献２に開示された結束機構では、操作索を一方向に牽引して複数の結束帯に跨って挿通させた操作索を抜き取ることで梱包を解いている。
結束帯の貫通孔と操作索との間には摩擦抵抗が生じることから、フェンス本体の展張距離が長くなるほど操作索の抜き取り抵抗が大きくなって、フェンス本体の梱包解除操作を円滑に行うことが難しくなる。
巻取機等を用いて操作索を牽引すると、一部の結束体が引き摺られてフェンス本体が損傷する危険がある。
【０００６】
本発明は以上の点に鑑みて成されたもので、その目的とするところは、フェンス本体を損傷させることなく、フェンス本体の梱包解除操作を円滑に、かつ確実に行える、汚濁防止フェンス装置を提供することにある。
【課題を解決するための手段】
【０００７】
本発明はフロートに沿ってカーテンを垂下したフェンス本体と、カーテンを折り畳んだ状態でのフェンス本体の梱包と、フェンス本体の梱包解除を行う結束機構とを有する汚濁防止フェンス装置であって、前記結束機構はフェンス本体に沿って間隔を隔てて外装する複数の結束帯と、前記複数の結束帯に跨って配設可能な全長を有する操作索とを具備している。
前記結束帯は折り畳まれたフェンス本体を包囲可能な長さを有するバンド材と、前記バンド材の両端を連結または切り離しが可能な機械式の開閉留め具とを具備している。
前記操作索の長手方向に沿って複数の開閉留め具が取り付けられている。
前記操作索を牽引して開閉留め金具に作用する引張力が開閉留め金具の口開き抵抗を越えると、開閉留め金具が口開きしてバンド材の両端が切り離される。
本発明の他の形態において、前記開閉留め具はスライドピンを具備した留め具本体と、留め具本体に支軸を介して枢支した鍵爪とを具備した留め具であり、操作牽に連結されたスライドピンに操作牽を通じて作用する引張力が口開き抵抗を越えると鍵爪が支軸を中心に回動して口開きする。
本発明の他の形態において、複数の開閉留め具は分岐索を介して操作索に取り付けるか、または直接操作索に取り付ける。
本発明の他の形態において、前記分岐索の長さを不均一にしておくとよい。
本発明の他の形態において、バンド材をフェンス本体の一部に脱落不能に付設しておいてもよい。
【発明の効果】
【０００８】
本発明は少なくとも次のひとつの効果を奏する。
＜１＞操作索の長手方向に沿って取り付けた機械式の開閉留め具を使用することで、フェンス本体の梱包解除操作を円滑に、かつ確実に行うことができる。
＜２＞開閉留め具に一定以上の引張力が作用すると、バンド材との連結が外れるので、フェンス本体の梱包解除操作時にフェンス本体を損傷させる心配がない。
＜３＞バンド材から切り離された開閉留め具を操作索と共に陸上側に回収して、繰り返し使用することができる。
＜４＞バンド材をフェンス本体の一部に脱落不能に付設しておくと、バンド材を使い捨てにせずにフェンス本体に残置させることができる。
＜５＞分岐索の長さが不均一であると、各開閉留め具における口開きの時期がずれるので、操作索の牽引力が小さくて済む。
＜６＞陸上側からフェンス本体の展張作業とカーテンの展開吊下げ作業を行えるので、有害物質を含んだ水域でも、安全に汚濁防止フェンスを展張することができる
【図面の簡単な説明】
【０００９】
【図１】本発明の実施例に係る汚濁防止フェンス装置の斜視図
【図２】カーテンを折り畳んで梱包した汚濁防止フェンス装置の横断面図
【図３】結束機構の説明図で、（Ａ）は結束機構の斜視図、（Ｂ）は開閉留め具の斜視図
【図４】開閉留め具の説明図で、（Ａ）は開閉留め具によるバンド材の連結時の説明図、（Ｂ）は開閉留め具が口開きした結束解除時の説明図
【図５】汚濁防止フェンス装置の展張方法を説明するためのモデル図
【図６】折り畳んだカーテンの展開吊下げ方法を説明するためのモデル図
【図７】バンド材の付設例を説明するためのフェンス本体の部分拡大図
【発明を実施するための形態】
【００１０】
以下、図面を参照しながら本発明の実施例について詳細に説明する。
【００１１】
＜１＞汚濁防止フェンス装置の概要
図１，２を参照して説明すると、汚濁防止フェンス装置１０は、フェンス本体２０と、フェンス本体２０を結束可能な結束機構３０とを具備する。
以下に各構成要素について詳しく説明する。
【００１２】
＜２＞前提するフェンス本体
本発明が前提とするフェンス本体２０は、柱状のフロート２１と、フロート２１に一体に垂下した帯状のカーテン２２とからなる汚濁防止フェンスであり、例えば公知のシルトフェンス、オイルフェンスなどを含む。
フロート２１は、円柱形のポリスチレン発泡体の周囲をＰＶＣターポリン等の樹脂素材の袋状シートで被覆してある。
汚濁物質の透過を規制するカーテン２２は折り畳み可能な可撓性シート状物であり、その下端にチェーン等からなる重錘２３が付設してある。
カーテン２２の素材は、難透水性のキャンバス地や不透水性のシート地を含む。
また必要に応じてカーテン２２の横断方向に沿って張力補強用のテンションベルトを付設する場合もある。
【００１３】
＜３＞結束機構
結束機構３０はフェンス本体２０を梱包するための装置であり、フェンス本体２０に巻き掛け可能な複数の結束帯４０と、複数の結束帯４０に跨って配設可能な全長を有し、遠隔操作により結束帯４０の一部を分離する操作索５０とを具備する。
結束帯４０はフェンス本体２０に沿って間隔を隔てて配置する。
【００１４】
＜３．１＞結束帯
図２〜４を参照して説明すると、結束帯４０はカーテン２２が小さく折り畳まれた状態のフェンス本体２０を包囲可能な全長を有するバンド材４１と、バンド材４１の両端部を連結または切り離し可能な開閉留め具６０とを具備する。
【００１５】
＜３．１．１＞バンド材
バンド材４１の両端にはそれぞれリング状の接続要素４２，４２を有する。
バンド材４１はロープ材、紐材、又は帯材からなり、その素材は樹脂製、金属製、又は繊維製からなる。
本例では接続要素４２，４２がバンド材４１と別体のリング体で構成する場合について示すが、バンド材４１の端部近くを折り返してループ状に形成したものでもよい。
要はバンド材４１の両端部にリング状またはループ状の接続要素４２，４２が形成してあればよい。
【００１６】
＜３．１．２＞開閉留め具
操作索５０の長手方向に沿って複数の開閉留め具６０が取り付けてある。
開閉留め具６０はバンド材４１の両端の接続要素４２，４２を連結するための機械式で開閉する留め具であり、開閉留め具６０に一定以上の引張力が作用すると開口可能な構造になっている。
【００１７】
図３に例示した開閉留め具６０について説明すると、開閉留め具６０はスライドピン６１を具備した留め具本体６２と、留め具本体６２に支軸６３を介して枢支した鍵爪６４とを具備している。
スライドピン６１は常時バネ力を受けて、留め具本体６２から突出するスライドピン６１の先端に鍵爪６４の自由端の凹部６４ａが係合している。
スライドピン６１に対して外部から引張力が作用しない場合、バネ力によりスライドピン６１の先端と鍵爪６４の自由端の凹部６４ａとの係合状態が保たれて鍵爪６４の自由な回動が規制される。
スライドピン６１の基端に引張力が作用すると、スライドピン６１が留め具本体６２内に後退して鍵爪６４の凹部６４ａとスライドピン６１の先端との係止が外れるので、支軸６３を中心とした鍵爪６４の自由な回動が可能となる。
【００１８】
図４（Ａ）は鍵爪６４の自由端がスライドピン６１の先端に係止した状態を示し、図４（Ｂ）は鍵爪６４の自由端とスライドピン６１の先端との係止が外れて支軸６３を中心に鍵爪６４が回動して口開きした状態を示している。
【００１９】
開閉留め具６０は本例で例示した形態に限定されず、開閉留め金具６０に作用する引張力が開閉留め金具３０の口開き抵抗を越えると、開閉留め金具３０が口開きする構造であれば、例えば磁力やバネ力等を口開き抵抗とする各種の留め具を適用することができる。
【００２０】
＜３．１．３＞開閉留め具の配設位置
開閉留め具６０は操作索５０の長手方向に沿って所定の間隔を隔てて配設され、操作索５０から分岐させた分岐索５１の先端が開閉留め具６０を構成するスライドピン６１の基端のリングピン６１ａに接続している。
操作索５０の牽引力は分岐索５１を経由してスライドピン６１へ伝達可能である。
本例では分岐索５１を介して操作索５０とスライドピン６１の基端との間を接続する形態について説明するが、スライドピン６１の基端を分岐索５１に直接接続するようにしてもよい。
【００２１】
＜３．２＞操作索
操作索５０は複数の開閉留め具６０に対して引張力を付与するためのロープ材であり、複数の結束帯４０に跨って配設可能な全長を有する。
【００２２】
＜４＞カーテンの結束方法
図１〜３を参照して、フェンス本体２０を構成するカーテン２２の結束方法について説明する。
最初に蛇腹状に折り畳んだカーテン２２と、フロート２１との周面に結束帯４０のバンド材４１を巻き掛け、つぎにバンド材４１の両端の接続要素４２，４２を開閉留め具６０の鉤爪６４に係止させて結束帯４０の両端を分離不能に連結する。
バンド材４１による巻き掛け作業と、開閉留め具６０によるバンド材４１の両端の連結作業を繰り返すだけで、フェンス本体２０の全長に亘って結束することができる。
【００２３】
＜４．１＞カーテンの結束間隔
結束帯４０によるカーテン２２の結束間隔は、カーテン２２が大きく垂れ下がらないように、カーテン２２のカーテン長等を考慮して適宜の間隔を選択する。
【００２４】
＜４．２＞カーテンの結束時期
結束帯４０によるカーテン２２の結束作業は工場で予め行っておくか、又は現場で展張作業前に行っておく。
【００２５】
［汚濁防止フェンス装置の展張方法］
つぎに図５，６を参照して、水域Ｃの左岸Ｄから右岸Ｅへ向けて汚濁防止フェンス装置１０を展張する場合について説明する。
【００２６】
＜１＞先導索の配索
図５に示すように、水域Ａを横断可能な長さの先導索５１を左岸Ｄから右岸Ｅへ向けて配索する。
先導索５１の配索手段としては、竿を使ったキャスティング法、先導索５１の先端に錘を付けて投擲する方法、または先導索５１の先端を弾に接続して射撃する方法等を採用できる。
【００２７】
＜２＞引き寄せによる汚濁防止フェンス装置の展張
両岸Ｄ，Ｅの間に張り渡した先導索５１の尾端をフェンス本体２０の先端に接続して、左岸Ｄ側から先導索５１と共にフェンス本体２０を人力、又は巻上機等を用いて引き寄せて、水域Ｃの所定の範囲に汚濁防止フェンス装置１０を展張する。
フェンス本体２０の引き寄せにあたり、水の抵抗を受け難くするように、結束機構３０により折り畳んだカーテン２２の展開を拘束するので、フェンス本体２０の引き寄せ抵抗が小さくて済む。
左岸Ｄにスペースがない場合は、左岸Ｃに固定滑車を設置し、固定滑車に先導索５１を巻き掛けて右岸Ｂ側で先導索５１を引き寄せるとよい。
【００２８】
＜３＞遠隔操作によるカーテンの展開吊下げ
両岸Ｄ，Ｅの間に展張したフェンス本体２０には、その全長に亘って操作索５０が配索されている。
図６に示すように、左岸Ｄまたは右岸Ｅの何れか一方から操作索５０を牽引すると、各開閉留め具６０に引張力が作用する。
開閉留め具６０に一定以上の引張力Ｆが作用してスライドピン６１が後退方向にスライドすると、鉤爪６４が支軸６３を中心に回動して口開きをする（図４（Ｂ））。
その結果、バンド材４１の両端が鉤爪６４から外れてフェンス本体２０の梱包が解かれる。
開閉留め具６０によるバンド材４１の梱包解除動作はランダムに行われ、梱包を解かれたカーテン２２が自重で展開して水中に沈降する。
【００２９】
図１，３に示した複数の分岐索５１の長さを不均一にすると、各開閉留め具６０に対する引張力の作用時期がずれるので、操作索５０の牽引力を小さくできる。
さらに操作索５０は各開閉留め具６０から離れて配置されているので、操作索５０の牽引に際して、各開閉留め具６０と操作索５０との間に摩擦抵抗が生じないだけでなく、操作索５０の牽引に伴いバンド材４１の引き摺りも生じない。
以上説明したように陸上側から操作索５０を牽引することにより、各バンド材４１による結束を解除してフェンス本体２０の全長に亘ってカーテン２２を水中に展開する。
各バンド材４１から切り離された開閉留め具６０は操作索５０と共に回収し、バンド材４１を除き回収した結束機構３０は再使用が可能である。
【００３０】
図７に示すように、カーテン２２の最上部に設けた落下防止用の取付タグ２４にバンド材４１を係止しておけば、開閉留め具６０から切り離されたバンド材４１を使い捨てにせずにフェンス本体２０に残置させることができる。
尚、取付タグ２４の取付け位置は上記の位置に限定されず、フロート２１の一部、又はカーテン２２の一部でもよい。
またバンド材４１の係止手段は、取付タグ２４に限定されるものではなく、カーテン２２の一部に貫挿して取り付けてもよい。
【００３１】
このように本発明では、陸上側からフェンス本体２０の展張作業を行えるだけでなく、陸上側から結束機構３０を介して遠隔操作によりフェンス本体２０の梱包解除作業を行えるので、船舶を用いた水上作業や潜水士による潜水作業が一切不要となる。
そのため、水域Ｃに有害物質（有害物質の付着した土粒子、セシウム、ダイオキシン等）が混入している危険な環境下であっても、作業員の安全性を確保して汚濁防止フェンス装置１０を展張することができる。
特に、フェンス本体２０の梱包解除作業においては、フェンス本体２０を損傷させることなく、円滑に梱包を解くことができる。
【符号の説明】
【００３２】
１０・・・・・汚濁防止フェンス装置
２０・・・・・フェンス本体
２１・・・・・フロート
２２・・・・・カーテン
２３・・・・・重錘
３０・・・・・結束機構
４０・・・・・結束帯
４１・・・・・バンド材
４２・・・・・バンド材の接続要素
５０・・・・・操作索
５１・・・・・先導索
６０・・・・・開閉留め具
６１・・・・・スライドピン
６２・・・・・留め具本体
６３・・・・・支軸
６４・・・・・鍵爪
【図１】
2019199778.tif 000003
【図２】
2019199778.tif 000004
【図３】
2019199778.tif 000005
【図４】
2019199778.tif 000006
【図５】
2019199778.tif 000007
【図６】
2019199778.tif 000008
【図７】
2019199778.tif 000009
【手続補正書】
【提出日】平成30年7月18日(2018.7.18)
【手続補正１】
【補正対象書類名】特許請求の範囲
【補正対象項目名】全文
【補正方法】変更
【補正の内容】
【特許請求の範囲】
【請求項１】
フロートに沿ってカーテンを垂下したフェンス本体と、カーテンを折り畳んだ状態でのフェンス本体の梱包と、フェンス本体の梱包解除を行う結束機構とを有する汚濁防止フェンス装置であって、
前記結束機構はフェンス本体に沿って間隔を隔てて外装する複数の結束帯と、
前記複数の結束帯に跨って配設可能な全長を有する操作索とを具備し、
前記結束帯はカーテンのみが折り畳まれた状態のフェンス本体を包囲可能な長さを有するバンド材と、
前記バンド材の両端を連結または切り離しが可能な機械式の開閉留め具とを具備し、
前記操作索の長手方向に沿って複数の開閉留め具が取り付けられ、
前記操作索を牽引して開閉留め金具に作用する引張力が開閉留め金具の口開き抵抗を越えると、開閉留め金具が口開きしてバンド材の両端が切り離されることを特徴とする、
汚濁防止フェンス装置。
【請求項２】
前記開閉留め具はスライドピンを具備した留め具本体と、留め具本体に支軸を介して枢支した鍵爪とを具備した留め具であり、操作牽に連結されたスライドピンに操作牽を通じて作用する引張力が口開き抵抗を越えると鍵爪が支軸を中心に回動して口開きすることを特徴とする、請求項１に記載の汚濁防止フェンス装置。
【請求項３】
複数の開閉留め具が分岐索を介して操作索に取り付けられていることを特徴とする、請求項１または２に記載の汚濁防止フェンス装置。
【請求項４】
前記分岐索の長さが不均一であることを特徴とする、請求項３に記載の汚濁防止フェンス装置。
【請求項５】
バンド材をフェンス本体の一部に脱落不能に付設したことを特徴とする、請求項１または２に記載の汚濁防止フェンス装置。
【手続補正２】
【補正対象書類名】明細書
【補正対象項目名】０００７
【補正方法】変更
【補正の内容】
【０００７】
本発明はフロートに沿ってカーテンを垂下したフェンス本体と、カーテンを折り畳んだ状態でのフェンス本体の梱包と、フェンス本体の梱包解除を行う結束機構とを有する汚濁防止フェンス装置であって、前記結束機構はフェンス本体に沿って間隔を隔てて外装する複数の結束帯と、前記複数の結束帯に跨って配設可能な全長を有する操作索とを具備している。
前記結束帯はカーテンのみが折り畳まれた状態のフェンス本体を包囲可能な長さを有するバンド材と、前記バンド材の両端を連結または切り離しが可能な機械式の開閉留め具とを具備している。
前記操作索の長手方向に沿って複数の開閉留め具が取り付けられている。
前記操作索を牽引して開閉留め金具に作用する引張力が開閉留め金具の口開き抵抗を越えると、開閉留め金具が口開きしてバンド材の両端が切り離される。
本発明の他の形態において、前記開閉留め具はスライドピンを具備した留め具本体と、留め具本体に支軸を介して枢支した鍵爪とを具備した留め具であり、操作牽に連結されたスライドピンに操作牽を通じて作用する引張力が口開き抵抗を越えると鍵爪が支軸を中心に回動して口開きする。
本発明の他の形態において、複数の開閉留め具は分岐索を介して操作索に取り付けるか、または直接操作索に取り付ける。
本発明の他の形態において、前記分岐索の長さを不均一にしておくとよい。
本発明の他の形態において、バンド材をフェンス本体の一部に脱落不能に付設しておいてもよい。